(57)【要約】【課題】  外界が暗く検温表示が見難い場合に表示手段を明るくし、もって電源の消費量の節約を可能にする電子体温計を提供する。【解決手段】  温度測定手段としてのサーミスタ１６で測定した温度の測定結果に基づいて実体温の値を数値表示する表示手段としての液晶表示装置１３を備える電子体温計であって、体温の測定動作の開始を伝えるスイッチ１４と、体温の測定動作の開始時に外界の光量を検出する受光手段としてのフォトダイオード１５と、外界の光量が所定値以下である時の体温の測定中、もしくは実体温の測定完了時に液晶表示装置１３の実体温の数値表示を明るくする光源としてのＬＥＤ２４とを備える。【選択図】      図２
2007198868.tif 000002
【特許請求の範囲】
【請求項１】
温度測定手段で測定した温度の測定結果に基づいて実体温の値を数値表示する表示手段を備える電子体温計であって、
前記体温の測定動作の開始を伝えるスイッチと、
前記体温の測定動作の開始時に外界の光量を検出する受光手段と、
前記外界の光量が所定値以下である時の前記体温の測定中、もしくは前記実体温の測定完了時に前記表示手段の前記実体温の数値表示を明るくする光源と、
を備えることを特徴とする電子体温計。
【請求項２】
温度測定手段で測定した温度の測定結果に基づいて実体温の値を数値表示する表示手段を備える電子体温計であって、
太陽電池と、
前記太陽電池からの電力を充電するバッテリと、
前記体温の測定動作の開始を伝えるスイッチと、
前記体温の測定動作の開始に伴い前記バッテリの電力を利用しての前記体温の測定中、もしくは前記実体温の測定完了時に前記表示手段の前記実体温の数値表示を明るくする光源と、
を備えることを特徴とする電子体温計。
【請求項３】
前記体温の測定に際して、その測定温度の変化率に基づいて前記実体温を求める実温度演算手段を備えることを特徴とする請求項１または２に記載の電子体温計。
【請求項４】
温度測定手段で測定した温度の測定結果に基づいて実体温の値を数値表示する表示手段を備える電子体温計であって、
太陽電池と、
前記太陽電池からの電力を充電するバッテリと、
外界の光量が低く前記バッテリへの充電が途絶えた場合でも前記バッテリの電力で人間が認識し得る時間の所定の経過時間毎に前記温度測定手段に基づく温度測定を単発的に行い、その温度測定に所定値以上の変化がある時、前記温度測定の継続とともにその変化率に基づいて前記実体温を求める実体温演算手段と、
前記体温の測定動作の開始に伴い前記体温の演算中、もしくは前記実体温の演算完了時に前記表示手段の前記実体温の数値表示を明るくする光源と、
を備えることを特徴とする電子体温計。
【請求項５】
前記温度測定手段を収めるプローブに、少なくとも比較的に断熱性のある着脱自在のキャップを備えることを特徴とする請求項４に記載の電子体温計。
【請求項６】
前記表示手段は液晶表示装置であることを特徴とする請求項１乃至５の何れか一つに記載の電子体温計。
【請求項７】
前記光源はＬＥＤであることを特徴とする請求項１乃至６の何れか一つに記載の電子体温計。
【請求項８】
前記光源は前記表示手段の表面周囲の少なくとも一部に備えたＬＥＤであることを特徴とする請求項１乃至７の何れか一つに記載の電子体温計。
【請求項９】
前記光源は前記表示手段の背面に備えたＬＥＤであることを特徴とする請求項１乃至８の何れか一つに記載の電子体温計。
【発明の詳細な説明】
【技術分野】
【０００１】
本発明は、体温測定に際する表示手段としての液晶表示装置近傍の発光に伴う電源消費量の低減化に有利である電子体温計に関する。
【背景技術】
【０００２】
従来より電子体温計には、プローブにサーミスタを用いた腋の下検温用や舌検温用等の所謂熱量の検出に基づく電子体温計や、プローブに光ファイバを用いた鼓膜検温用の所謂赤外線の検出に基づく電子体温計が一般に多く知られている。
【０００３】
しかしながら、電子体温計で実体温を検出しても暗所においてはその数値表示を読取ることは困難であり、そのため、その数値表示を発光させるという電子体温計が創案されて既に流通されている（例えば、非特許文献１参照）。
【０００４】
【非特許文献１】ｈｔｔｐ：／／ｗｗｗ．ｔｅｒｕｍｏ．ｃｏ．ｊｐ／ｐｒｅｓｓ／２００５／０２０．ｈｔｍｌ
【発明の開示】
【発明が解決しようとする課題】
【０００５】
しかしながら、非特許文献１に示す電子体温計は、スイッチオンの後、外界が明るくとも検温時に逐一バックライトが点灯して表示装置が発光するので、無駄に電源の消費量が大きくなるという問題があった。
【０００６】
本発明は、上記従来の技術の問題を解決し、外界が暗く検温表示が見難い場合に表示手段としての表示装置を明るくし、もって電源の消費量の節約を可能にする電子体温計を提供することを目的とする。
【課題を解決するための手段】
【０００７】
上記目的を達成するため、請求項１に記載の発明は、温度測定手段で測定した温度の測定結果に基づいて実体温の値を数値表示する表示手段を備える電子体温計であって、前記体温の測定動作の開始を伝えるスイッチと、前記体温の測定動作の開始時に外界の光量を検出する受光手段と、前記外界の光量が所定値以下である時の前記体温の測定中、もしくは前記実体温の測定完了時に前記表示手段の前記実体温の数値表示を明るくする光源とを備えることを特徴とする。
【０００８】
請求項２に記載の発明は、温度測定手段で測定した温度の測定結果に基づいて実体温の値を数値表示する表示手段を備える電子体温計であって、太陽電池と、前記太陽電池からの電力を充電するバッテリと、前記体温の測定動作の開始を伝えるスイッチと、前記体温の測定動作の開始に伴い前記バッテリの電力を利用しての前記体温の測定中、もしくは前記実体温の測定完了時に前記表示手段の前記実体温の数値表示を明るくする光源とを備えることを特徴とする。
【０００９】
請求項３に記載の発明は、前記体温の測定に際して、その測定温度の変化率に基づいて前記実体温を求める実温度演算手段を備えることを特徴とする。
【００１０】
請求項４に記載の発明は、温度測定手段で測定した温度の測定結果に基づいて実体温の値を数値表示する表示手段を備える電子体温計であって、太陽電池と、前記太陽電池からの電力を充電するバッテリと、外界の光量が低く前記バッテリへの充電が途絶えた場合でも前記バッテリの電力で人間が認識し得る時間の所定の経過時間毎に前記温度測定手段に基づく温度測定を単発的に行い、その温度測定に所定値以上の変化がある時、前記温度測定の継続とともにその変化率に基づいて前記実体温を求める実体温演算手段と、前記体温の測定動作の開始に伴い前記体温の演算中、もしくは前記実体温の演算完了時に前記表示手段の前記実体温の数値表示を明るくする光源とを備えることを特徴とする。
【００１１】
請求項５に記載の発明は、前記温度測定手段を収めるプローブに、少なくとも比較的に断熱性のある着脱自在のキャップを備えることを特徴とする。
【００１２】
請求項６に記載の発明は、前記表示手段は液晶表示装置であることを特徴とする。
【００１３】
請求項７に記載の発明は、前記光源はＬＥＤであることを特徴とする。
【００１４】
請求項８に記載の発明は、前記光源は前記表示手段の表面周囲の少なくとも一部に備えたＬＥＤであることを特徴とする。
【００１５】
請求項９に記載の発明は、前記光源は前記表示手段の背面に備えたＬＥＤであることを特徴とする。
【発明の効果】
【００１６】
本発明によれば、外界が暗く、即ち室内が夜間で暗く検温表示が見難い場合に表示手段としての表示装置を明るく照らし、もって電源の消費量の節約を可能にして使用コストを低減し得る電子体温計を提供することができる。
【発明を実施するための最良の形態】
【００１７】
以下、本発明の第１の実施の形態に係る電子体温計について説明する。図１は第１の実施の形態に係る電子体温計の外観構成を示す正面図である。
【００１８】
図１に示すように、本例の電子体温計１のハウジング１１の本体側１２には、表示手段としての液晶表示装置１３が装着されている。本体側１２の液晶表示装置１３の一方の付近には電子体温計１自体の動作の有無を操作するスイッチ１４が装着されており、他方の付近には受光手段としてのフォトダイオード１５が装着されている。フォトダイオード１５は外界の光量に応じた電圧を出力する。
【００１９】
一方、ハウジング１１の本体側１２の先端の方向には、温度測定手段としてのサーミスタ（図２参照）１６を収容するプローブ１７が構成されており、プローブ１７のサーミスタ１６を収容する先端側は熱伝導性の良い素材からなる受熱部１８が装着されている。サーミスタ１６は受熱部１８の内側に接触されており、受熱部１８を介して体温の温度の影響を受けるとともに体温に比例する電圧抵抗となる。
【００２０】
次に、本例の電子体温計１のハウジング１１内部の機能構成について説明する。図２は本例の電子体温計１の内部構成を示す回路構成図である。
【００２１】
電子体温計１は、図２に示すように、液晶表示装置（図２にＬＣＤで示す）１３、スイッチ１４、フォトダイオード（図２にＰＤで示す）１５、サーミスタ１６、実温度演算手段としてのＣＰＵ２１、Ａ／Ｄ変換部（図２にＡ／Ｄで示す）２２，２３、光源としてのＬＥＤ２４、電池（図２にＥで示す）２５、及び、発音体としてのスピーカ（図示せず）を備える。
【００２２】
実温度演算手段としてのＣＰＵ２１は、第１に、スイッチ１４のオン操作時に電池２５からの電力を得てフォトダイオード１５からのＡ／Ｄ変換部２２を介してディジタル化された出力を検出する。
【００２３】
ＣＰＵ２１は、フォトダイオード１５からの出力が所定の閾値以上である時は、外界が明るく、従って使用者が、液晶表示装置１３に表示された体温の計測値の数字文字を十分に目視し得るものと判断してＬＥＤ２４の非駆動（非発光）を維持する。
【００２４】
一方、ＣＰＵ２１は、フォトダイオード１５からの出力が所定の閾値未満である時は、外界が暗く、即ち暗所であり、従って使用者が、液晶表示装置１３に表示された体温の計測値の数字文字を全く目視し得ないものと判断してＬＥＤ２４を駆動し、ＬＥＤ２４を発光させる。この態様はスイッチ１４のオン操作の後の体温の計測継続中の間、常にＬＥＤ２４を発光させるという態様である。
【００２５】
ＬＥＤ２４は、図３に示すように、例えば、ハウジング１１の液晶表示装置１３の表示領域を囲う開口２６の内側の所定位置に配設するという態様がある。その開口２６内には透明の樹脂もしくはガラス等の保護膜層２７が装着されている。保護膜層２７は液晶表示装置１３の表示領域全体を保護するとともにＬＥＤ２４をも保護する機能を兼ねる。
【００２６】
ＬＥＤ２４の発光は保護膜層２７の光透過性とともに保護膜層２７全体を発光させ、その保護膜層２７全体の発光で液晶表示装置１３の表示領域全体を明るく照らす。その結果、ＬＥＤ２４の発光は液晶表示装置１３の表示領域に表示された体温の計測値の数字文字を十分に明るく照らし出す。
【００２７】
但し、ＬＥＤ２４は、図４に示すように、例えば、もう一つにはハウジング１１の液晶表示装置１３の表示領域のセルの背面に配設するという態様もある。その場合、ＬＥＤ２４の発光は表示領域のセルを透過して表示領域に表示された体温の計測値の数字文字の周囲を明るくする。その光の透過で、暗所においても表示領域に表示された体温の計測値の数字文字を逆のコントラストで十分に目視させることを可能にする。
【００２８】
一方、ＣＰＵ２１は、第２に、スイッチ１４のオン操作時に電池２５からの電力を得てサーミスタ１６からのＡ／Ｄ変換部２３を介してディジタル化された出力を検出し、その出力の変化率を演算する。ＣＰＵ２１は、その変化率の演算に基づいて被検者の実体温の値を求め、その実体温の数値を液晶表示装置１３の表示領域に表示させる。
【００２９】
ＣＰＵ２１は、実体温の演算が終了し実体温の数値を求めた場合、スピーカ（図示せず）を例えば間欠的に鳴動させ、かつ、フォトダイオード１５からの出力が所定の閾値未満である場合は、外界が暗く、液晶表示装置１３の数字文字の表示が全く目視し得ないものと判断してＬＥＤ２４を発光させる。この態様はスイッチ１４のオン操作の後の体温の計測（演算）完了時にＬＥＤ２４を発光させるという所謂電源節約の態様である。
【００３０】
尚、本実施の形態においては、スイッチ１４のオン操作の後の体温の計測（演算）継続中の間常にＬＥＤ２４を発光させるという態様、及び、体温の計測（演算）完了時にＬＥＤ２４を発光させるという所謂電源節約の態様の二通りを含めて説明したが、実際の製品化に際しては何れか一方の態様を用いることになる。
【００３１】
次に、本例の電子体温計１の動作の一例について説明する。尚、本例ではＬＥＤ２４の発光タイミングには上述の後者の態様を採用する。まず、スイッチ１４をオン操作して被検者の例えば腋の下に電子体温計１のプローブ１７の受熱部１８をあてがって挟む。
【００３２】
すると、電子体温計１の実温度演算手段としてのＣＰＵ２１は、電池（Ｅ）２５から電力を得て、体温の温度の影響を受けるサーミスタ１６からのＡ／Ｄ変換部２３を経てディジタル化された出力を継続的に検出し、その出力の変化率を演算してゆく。
【００３３】
一方、ＣＰＵ２１は、フォトダイオード（ＰＤ）１５からのＡ／Ｄ変換部２２を経てディジタル化された出力を検出し、その出力の値が所定の閾値未満であるか否かを判定する。フォトダイオード１５の出力が所定の閾値未満である場合は外界が暗く、即ち例えば室内が暗く、ＬＥＤ２４の発光が必要になる。ＣＰＵ２１は、フォトダイオード１５の出力が所定の閾値未満である場合は、その旨の情報（例えばフラグ＝１等）を記憶しておく。
【００３４】
かくて、ＣＰＵ２１は、サーミスタ１６からの出力の変化率の演算を継続した結果、被検者の実体温の演算完了に至ると、フォトダイオード１５の出力が所定の閾値未満であるか否かを示す情報を認識するとともにスピーカを間欠的に鳴動させ、検温終了を告げる。
【００３５】
そして、ＣＰＵ２１は、フォトダイオード１５の出力が所定の閾値未満である場合は、ＬＥＤ２４を発光させ、もって液晶表示装置１３の表示領域を明るくする。その明るさで、外界が暗くとも、被検者は液晶表示装置１３の表示領域に表示された実体温の数字文字を明らかに目視することができる。
【００３６】
その後、スイッチ１４をオフ操作すると液晶表示装置１３の表示が消えるとともにＬＥＤ２４の発光も消える。当然にＣＰＵ２１への電源投入も消え、電子体温計１自体の駆動は全て休止する。
【００３７】
本実施の形態においては、検温の完了時に外界が明るい場合、即ち室内が夜間でも明るい場合はＬＥＤ２４を駆動させず、フォトダイオード１５の出力から外界が暗いことを認識した場合にのみＬＥＤ２４を発光させるので、電池２５の消費量を節約することができ、電池２５の長寿命化を図ることができる。
【００３８】
次に、本発明の第２の実施の形態に係る電子体温計について説明する。図５は本実施の形態に係る電子体温計の概観構成を示す正面図であり、図６はその電子体温計の内部構成を示す回路構成図である。.
【００３９】
本例の電子体温計２は、図５に示すように、ハウジング１１の本体側１２には、表示手段としての液晶表示装置１３、及び太陽電池３１が装着されている。本体側１２の例えば太陽電池３１の一方の付近には電子体温計２自体の動作の有無を操作するスイッチ１４が装着されている。その他の外観構成は第１の実施の形態の場合と同様であり詳しい説明は省略する。
【００４０】
電子体温計２の内部構成は、図６に示すように、太陽電池３１とスイッチ１４の間、及び太陽電池３１と実温度演算手段としてのＣＰＵ２１との間に太陽電池３１からの電力を蓄積するバッテリ（図６にＢで示す）３２が備えられている。ＣＰＵ２１はバッテリ３２からの電力で駆動するが、バッテリ３２はスイッチ１４のオフ操作の継続中も太陽電池３１からの電力を蓄積し続ける。
【００４１】
尚、本例の場合、フォトダイオード１５は不要であるがその他の回路構成は第１の実施の形態の場合と同様であり詳しい説明は省略する。
【００４２】
ＣＰＵ２１は、スイッチ１４のオン操作の後、バッテリ３２から電力を得て、体温の測定動作を開始する。即ちＣＰＵ２１は体温の測定動作を開始する場合、サーミスタ１６からの出力を継続して検出し、その出力の変化率の演算から被検者の実体温の値を求める。
【００４３】
一方、ＣＰＵ２１は、体温の測定中、即ち実温度の演算中、もしくは実体温の測定（演算）完了時にスピーカ（図示せず）を間欠的に鳴動させるとともにＬＥＤ２４を発光させる。製品化に際してはその何れの態様を選定しても良い。ＬＥＤ２４の配設構成等については図３もしくは図４に示す構成と同様で良く、即ちＬＥＤ２４の駆動目的は第１の実施の形態の場合と全く同様である。
【００４４】
次に、本例の電子体温計２の動作の一例について説明する。尚、本例ではＬＥＤ２４の発光タイミングには上述の後者の態様を採用する。まず、スイッチ１４をオン操作して被検者の例えば腋の下に電子体温計１のプローブ１７の受熱部１８を宛がって挟む。
【００４５】
すると、電子体温計１の実温度演算手段としてのＣＰＵ２１は、バッテリ３２から電力を得て、体温の温度の影響を受けるサーミスタ１６からのＡ／Ｄ変換部２３を経てディジタル化された出力を継続的に検出し、その出力の変化率を演算してゆく。
【００４６】
かくて、ＣＰＵ２１は、サーミスタ１６からの出力の変化率の演算を継続した結果、被検者の実体温の演算完了に至ると、スピーカを間欠的に鳴動させ検温終了を告げるとともに、ＬＥＤ２４を発光させ、もって液晶表示装置１３の表示領域を明るくする。その明るさで、外界が暗くとも、即ち室内が夜間で暗くとも被検者は液晶表示装置１３の表示領域に表示された実体温の数字文字を明らかに目視することができる。
【００４７】
その後、スイッチ１４をオフ操作すると、液晶表示装置１３の表示が消えるとともにＬＥＤ２４の発光も消える。ＣＰＵ２１への電源投入も遮断されて、電子体温計１自体の駆動は全て休止する。
【００４８】
本実施の形態においては、太陽電池３１からの電力をバッテリ３２に蓄積して、バッテリ３２からの電力で検温の完了時にＬＥＤ２４を発光させるので、仮に一時的に電力使用量が増加しても充電を常時継続することが可能であり、従って電源の電力不足が生ずることに危惧する必要はなく、しかもＬＥＤ２４を必要な時だけ発光させバッテリ３２の消費量を節約することも可能である。
【００４９】
次に、本発明の第３の実施の形態に係る電子体温計について説明する。図７は本実施の形態に係る電子体温計の概観構成を示す正面図であり、図８はその電子体温計の内部構成を示す回路構成図である。
【００５０】
本例の電子体温計３は、図７に示すように、ハウジング１１の本体側１２には、表示手段としての液晶表示装置１３、及び太陽電池３１が装着されている。本体側１２の先端側のプローブ１７の先端の受熱部１８側に断熱用の着脱自在のキャップ４１が装着されている。尚、本例の場合、スイッチ１４は不要であるが、その他の外観構成は第２の実施の形態の場合と同様であり詳しい説明は省略する。
【００５１】
電子体温計３の内部構成は、図８に示すように、スイッチ１４がなく、太陽電池３１と実温度演算手段としてのＣＰＵ２１との間に太陽電池（図８にＳＢで示す）３１からの電力を蓄積するバッテリ（図８にＢで示す）３２が備えられている。バッテリ３２は常時外界の光に作用する太陽電池３１からの電力を蓄積し続ける。その他の回路構成は図６に示す構成と同様である。
【００５２】
ＣＰＵ２１は、第１に、バッテリ３２の電力で常時人間が認識し得る時間の所定の経過時間毎（例えば３０秒や６０秒毎等）にサーミスタ１６に基づく温度測定を単発的に行い、その温度測定に所定値以上の変化がある時、温度測定の継続とともにその変化率を演算して実体温の値を求める。
【００５３】
ＣＰＵ２１は、第２に、外界の光量が低くバッテリ３２への充電が途絶えた場合でもバッテリ３２の電力で人間が認識し得る時間の所定の経過時間毎（例えば同じく３０秒や６０秒毎等）にサーミスタ１６基づく温度測定を単発的に行い、その温度測定に所定値以上の変化がある時、温度測定の継続とともにその変化率を演算して実体温の値を求める。
【００５４】
ＣＰＵ２１は、第３に、受熱部１８を覆うキャップ４１の作用で所定の経過時間毎（例えば同じく３０秒や６０秒毎等）にサーミスタ１６基づく温度測定を単発的に行った結果、その温度測定に変化がない場合もしくは所定値以下の変化である場合は、温度測定を即刻中止してその変化率の演算も一切実行せず、次の温度測定のタイミングを待つ。
【００５５】
尚、上記所定時間の経過（例えば同じく３０秒や６０秒等）を計数するタイマは詳しく図示しないがＣＰＵ２１内にあっても良く、あるいは水晶発振器等でＣＰＵ２１の外部にあっても良い。
【００５６】
次に、本例の電子体温計３の動作の一例について説明する。尚、本例ではＬＥＤ２４の発光タイミングには実温度の演算完了時という態様を採用する。まず、キャップ４１の装着時は、所定時間の経過毎（例えば同じく３０秒や６０秒毎等）にサーミスタ１６からの出力を検出してもその温度検出に変化はなく、従ってＣＰＵ２１は次のタイミングまで休止する。外界が明るければバッテリ３２への充電は継続し続ける。
【００５７】
一方、キャップ４１を外して被検者の例えば腋の下に電子体温計１のプローブ１７の受熱部１８をあてがって挟むと、サーミスタ１６にその体温の温度が伝わる。
【００５８】
その後、電子体温計１の実温度演算手段としてのＣＰＵ２１は、上記タイミングでバッテリ３２から電力を得て、体温の温度の影響を受けるサーミスタ１６からのＡ／Ｄ変換部２３を経てディジタル化された出力を単発的に検出し、その出力に変化があることを認識する。するとＣＰＵ２１は、その温度検出を継続するとともにその検出温度の変化率を演算してゆく。
【００５９】
かくて、ＣＰＵ２１は、サーミスタ１６からの出力の変化率の演算を継続した結果、被検者の実体温の演算完了に至ると、スピーカを間欠的に鳴動させ検温終了を告げるとともに、ＬＥＤ２４を発光させ、もって液晶表示装置１３の表示領域を明るくする。その明るさで、外界が暗くとも、即ち室内が夜間で暗くとも被検者は液晶表示装置１３の表示領域に表示された実体温の数字文字を明らかに目視することができる。
【００６０】
その後、キャップ４１を受熱部１８側に装着すると、温度検出は逆に減温に向って一定温度に近づくため、ＣＰＵ２１は、上記第３に示す動作に移る。
【００６１】
本実施の形態においては、温度検出に変化がない場合もしくは所定値以下の微少な変化である場合は、所定の経過時間毎（例えば同じく３０秒や６０秒毎等）にサーミスタ１６基づく温度測定を単発的に行うため、バッテリ３２の消費量を極めて少なく節約することが可能であり、かつスイッチがなく使用に際する利便性も向上するという利点があり故障発生率をも低く抑えることが可能である。
【００６２】
なお、上記は実施例１におけるフォトダイオード（ＰＤ）１５の代わりに、太陽電池３１から光量を測定し、出力が所定の閾値以上である時は、外界が明るく、従って使用者が、液晶表示装置１３に表示された体温の計測値の数字文字を十分に目視し得るものと判断してＬＥＤ２４の非駆動（非発光）を維持する。一方、ＣＰＵ２１は、太陽電池３１からの出力が所定の閾値未満である時は、外界が暗く、即ち暗所であり、従って使用者が、液晶表示装置１３に表示された体温の計測値の数字文字を全く目視し得ないものと判断してＬＥＤ２４を駆動し、ＬＥＤ２４を発光させる態様とすると良い。
【００６３】
また、上記は実体温を測定する例を示したが、一定時間ごとの温度変化率から予測体温を計測し、表示しても良い。
【００６４】
その他、本発明を実施するための最良の構成、形態、方法などは、以上の記載で開示されているが、本発明はこれに限定されるものではない。すなわち、以上の記載は、主に特定の実施例に関して図示され、かつ説明されているが、本発明の技術的思想および目的の範囲から逸脱することなく、以上述べた実施例に対し、材質、形状、数量、その他の構成において、当業者が様々な変形を加えることができる。
【００６５】
従って、以上に開示した材質、形状、数量などを限定した記載は、本発明の理解を容易にするために例示的に記載したものであり、本発明を限定するものではない。そのため、それらの材質、形状、数量などの一部もしくは全部の限定を外した記載は、本発明の技術的範囲に含まれる。
【産業上の利用可能性】
【００６６】
本発明は、サーミスタを用いた熱量検出の電子体温計のみならず、赤外線検出の電子体温計にも利用することが可能であり、かつ本体部分と所謂プローブ側が分離されてコードで接続されている婦人用電子体温計に利用することが可能である。
【図面の簡単な説明】
【００６７】
【図１】第１の実施の形態の電子体温計の外観構成を示す正面図である。
【図２】第１の実施の形態の電子体温計の内部構成を示す回路構成図である。
【図３】ＬＥＤの配設構成の一例を説明する一部破断説明図である。
【図４】ＬＥＤの配設構成の他の一例を説明する一部破断説明図である。
【図５】第２の実施の形態の電子体温計の外観構成を示す正面図である。
【図６】第２の実施の形態の電子体温計の内部構成を示す回路構成図である。
【図７】第３の実施の形態の電子体温計の外観構成を示す正面図である。
【図８】第３の実施の形態の電子体温計の内部構成を示す回路構成図である。
【符号の説明】
【００６８】
１，２，３  電子体温計
１１  ハウジング
１２  本体側
１３  液晶表示装置
１４  スイッチ
１５  フォトダイオード
１６  サーミスタ
１７  プローブ
１８  受熱部
２１  ＣＰＵ
２２，２３  Ａ／Ｄ変換部
２４  ＬＥＤ
２５  電池
２６  開口
２７  保護膜層
３１  太陽電池
３２  バッテリ
４１  キャップ
【図１】
2007198868.tif 000003
【図２】
2007198868.tif 000004
【図３】
2007198868.tif 000005
【図４】
2007198868.tif 000006
【図５】
2007198868.tif 000007
【図６】
2007198868.tif 000008
【図７】
2007198868.tif 000009
【図８】
2007198868.tif 000010
【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
温度測定手段で測定した温度の測定結果に基づいて実体温の値を数値表示する表示手段を備える電子体温計であって、
太陽電池と、
前記太陽電池からの電力を充電するバッテリと、
前記体温の測定動作の開始を伝えるスイッチと、
前記体温の測定動作の開始に伴い前記バッテリの電力を利用しての前記体温の測定中、もしくは前記実体温の測定完了時に前記表示手段の前記実体温の数値表示を明るくする光源と、
を備えることを特徴とする電子体温計。
【請求項２】
前記体温の測定に際して、その測定温度の変化率に基づいて前記実体温を求める実温度演算手段を備えることを特徴とする請求項１に記載の電子体温計。
【請求項３】
前記温度測定手段を収めるプローブに、少なくとも比較的に断熱性のある着脱自在のキャップを備えることを特徴とする請求項２に記載の電子体温計。
【請求項４】
前記表示手段は液晶表示装置であることを特徴とする請求項１乃至３の何れか一つに記載の電子体温計。
【請求項５】
前記光源はＬＥＤであることを特徴とする請求項１乃至４の何れか一つに記載の電子体温計。
【請求項６】
前記光源は前記表示手段の表面周囲の少なくとも一部に備えたＬＥＤであることを特徴とする請求項１乃至５の何れか一つに記載の電子体温計。
【請求項７】
前記光源は前記表示手段の背面に備えたＬＥＤであることを特徴とする請求項１乃至６の何れか一つに記載の電子体温計。
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
温度測定手段で測定した温度の測定結果に基づいて実体温の値を数値表示する表示手段を備える電子体温計であって、
太陽電池と、
前記太陽電池からの電力を充電するバッテリと、
外界の光量が低く前記バッテリへの充電が途絶えた場合でも前記バッテリの電力で人間が認識し得る時間の所定の経過時間毎に前記温度測定手段に基づく温度測定を単発的に行い、その温度測定に所定値以上の変化がある時、前記温度測定の継続とともにその変化率に基づいて前記実体温を求める実体温演算手段と、
前記体温の測定動作の開始に伴い前記体温の演算中、もしくは前記実体温の演算完了時に前記表示手段の前記実体温の数値表示を明るくする光源と、
前記温度測定手段を収めるプローブに、断熱性のある着脱自在のキャップを備えることを特徴とする電子体温計。
【請求項２】
前記表示手段は液晶表示装置であることを特徴とする請求項１に記載の電子体温計。
【請求項３】
前記光源はＬＥＤであることを特徴とする請求項１乃至２の何れか一つに記載の電子体温計。
【請求項４】
前記光源は前記表示手段の表面周囲の少なくとも一部に備えたＬＥＤであることを特徴とする請求項１乃至３の何れか一つに記載の電子体温計。
【請求項５】
前記光源は前記表示手段の背面に備えたＬＥＤであることを特徴とする請求項１乃至４の何れか一つに記載の電子体温計。